(57)【要約】【課題】新たな装置の組込作業を自動化する「ネットワークシステム及びネットワークシステムへの装置組込方法」を提供する。【解決手段】ユーザは、追加するＡＶ機器４をステージ５に載置する。追加機器検出装置３は、ステージ５に新しいＡＶ機器４が載置されたことを検知しシステコントローラに通知する。システムコントローラ２は、通知されたＡＶ機器４に、無線アクセスポイント１を介して、無線アクセスポイント１が無線ＬＡＮに収容する装置を識別するために行う認証用の認証情報を設定し、設定が終了すると、ＡＶ機器４の組込の完了を表示する。ユーザは、このようにしてＡＶ機器４のＡＶシステムへの組込が完了したならば、追加したＡＶ機器４を車内の所望の場所に移動設置する。【選択図】図１
2005191789.tif 000002
【特許請求の範囲】
【請求項１】
無線アクセスポイントと、無線アクセスポイントに無線通信を介して接続する複数の装置を含むネットワークシステムであって、
所定のエリアに配置された装置を検出する追加機器検出装置と、
前記追加機器検出装置が検出した装置であって、前記ネットワークシステムに収容されていない装置に、当該装置が前記ネットワークシステムに参入するための初期設定情報を、前記無線アクセスポイントを介した無線通信によって設定する、前記無線アクセスポイントに接続した追加機器初期設定装置とを有することを特徴とするネットワークシステム。
【請求項２】
請求項１記載のネットワークシステムであって、
前記追加機器検出装置は、前記所定のエリア近傍で受信した無線信号の電界強度に応じて、当該無線信号の発信元の装置が当該所定のエリアに配置されているかどうかを判定することを特徴とするネットワークシステム。
【請求項３】
請求項１記載のネットワークシステムであって、
前記無線アクセスポイントを３以上備え、
前記追加機器検出装置は、前記３以上無線アクセスポイントで受信された、同じ装置が発信した無線信号の電界強度に応じて、当該無線信号の発信元の装置が当該所定のエリアに配置されているかどうかを判定することを特徴とするネットワークシステム。
【請求項４】
無線アクセスポイントと、無線アクセスポイントに無線通信を介して接続する複数の装置を含むネットワークシステムであって、
自身の近傍に位置する装置を検出する、携帯型の追加機器検出装置と、
前記追加機器検出装置が検出した装置であって、前記ネットワークシステムに収容されていない装置に、当該装置が前記ネットワークシステムに参入するための初期設定情報を、前記無線アクセスポイントを介した無線通信によって設定する、前記無線アクセスポイントに接続した追加機器初期設定装置とを有することを特徴とするネットワークシステム。
【請求項５】
請求項４記載のネットワークシステムであって、
前記追加機器検出装置は、受信した無線信号の電界強度に応じて、当該無線信号の発信元の装置が自身の近傍に位置するかどうかを判定することを特徴とするネットワークシステム。
【請求項６】
請求項１、２、３、４または５記載のネットワークシステムであって、
前記無線アクセスポイントは、所定の認証処理によって認証した装置のみに、前記ネットワークシステムへの参入を許諾する認証手段を有し、
前記追加機器検出装置が検出した装置であって、前記ネットワークシステムに収容されていない装置に設定される初期設定情報は、前記無線アクセスポイントの前記認証処理の認証を受けるための認証情報であることを特徴とするネットワークシステム。
【請求項７】
請求項１、２、３、４、５または６記載のネットワークシステムを用いた車載ＡＶシステムであって、
前記装置は、オーディオとビジュアルとの少なくとも一方を取り扱う車載のＡＶ機器であり、
当該ＡＶシステムは、前記ネットワークシステムに参入した複数の前記ＡＶ機器を含み形成されることを特徴とする車載ＡＶシステム。
【請求項８】
無線アクセスポイントと、無線アクセスポイントに無線通信を介して接続する複数の装置を含むネットワークシステムに、新た装置を組み込むネットワークシステムへの装置組込方法であって、
所定のエリアに配置されている装置を検出するステップと、
前記所定のエリアに配置されていることが検出された装置であって、前記ネットワークシステムに組み込まれていない装置に、当該検出装置が前記ネットワークシステムに参入するための初期設定情報を、前記無線アクセスポイントを介した無線通信によって設定するステップとを有することを特徴とするネットワークシステムへの装置組込方法。
【発明の詳細な説明】
【技術分野】
【０００１】
本発明は、無線ネットワークを介して接続された複数の装置より形成されるネットワークシステムへの新たな装置の追加を支援する技術に関するものである。
【背景技術】
【０００２】
無線接続された複数の装置より形成されるネットワークシステムとしては、無線ネットワークで接続された複数のオーディオ機器よりなるＡＶシステムが知られている（たとえば、特許文献１）。
また、このようなネットワークシステムの構築方法としては、IEEE802.11におけるESS-ID(Enhanced Service Set)などのネットワーク固有の識別子などのセキュリティ情報を無線ネットワークを構成する無線アクセスポイントと、無線ネットワークへ接続する各装置（ステーション）に設定し、無線アクセスポイントにおいて、このセキュリティ情報を用いて各装置の認証を行い、認証が成功した装置にのみ無線ネットワークへのアクセスを許諾する技術が知られている（たとえば、特許文献２）。
【特許文献１】特開２００１−３５９２００号公報
【特許文献２】国際公開  ＷＯ  ００／７４３１６
【発明の開示】
【発明が解決しようとする課題】
【０００３】
さて、たとえば、車載のＡＶシステムを、無線ネットワークを用いて複数のＡＶ機器を接続することにより構築する場合には、偶然に近くを通りかかった、無線ネットワークへのアクセス機能を備えた装置が無線ネットワークに組み込まれてしまったり、同乗者が携帯している、無線ネットワークへのアクセス機能を備えた装置がユーザの意図にかかわらず無線ネットワークに組み込まれてしまったりすることを排除する必要がある。
【０００４】
一方で、前述したようなセキュリティ情報を用いた認証を行うようにすれば、ユーザが意図しない装置の無線ネットワークへの組込みを排除することができる。しかしながら、このようにすると、新たにネットワークシステムに装置を追加する場合には、ユーザが、追加する各装置に対して一々セキュリティ情報の設定という煩雑な作業を行わなければならなくなる。
【０００５】
そこで、本発明は、無線ネットワークを介して複数の装置が接続されたネットワークシステムへの、ユーザの新たな装置の追加作業を容易化することを課題とする。
【課題を解決するための手段】
【０００６】
前記課題達成のために、本発明は、無線アクセスポイントと、無線アクセスポイントに無線通信を介して接続する複数の装置を含むネットワークシステムに、所定のエリアに配置された装置を検出する追加機器検出装置と、前記追加機器検出装置が検出した装置であって、前記ネットワークシステムに収容されていない装置に、当該装置が前記ネットワークシステムに参入するための初期設定情報を、前記無線アクセスポイントを介した無線通信によって設定する、前記無線アクセスポイントに接続した追加機器初期設定装置とを備えたものである。
【０００７】
ここで、前記追加機器検出装置における検出は、たとえば、前記所定のエリア近傍で受信した無線信号の電界強度に応じて、当該無線信号の発信元の装置が当該所定のエリアに配置されているかどうかを判定することにより行うことができる。また、前記無線アクセスポイントを３以上備えるようにし、前記追加機器検出装置において、前記３以上無線アクセスポイントで受信された、同じ装置が発信した無線信号の電界強度に応じて、当該無線信号の発信元の装置が当該所定のエリアに配置されているかどうかを判定することにより、前記検出を行うようにすることもできる。
【０００８】
このようなネットワークシステムによれば、ユーザは、ネットワークに追加したい装置を所定のエリア内に載置するだけで、その装置に、当該装置をネットワークシステムに組み込むための初期設定情報が自動的に設定される。したがって、ユーザの新たな装置の追加作業が容易化される。一方で、当該所定のエリア外にある装置には、初期設定情報が設定されないので、ユーザの意図せざる装置がネットワークシステムに組み込まれてしまうこともない。なお、所定のエリア内に載置して初期設定情報を設定した装置は、その後、無線アクセスポイントに無線接続可能な範囲内であれば任意の位置に移動して配置、利用することができる。
【０００９】
また、前記課題達成のために、本発明は、無線アクセスポイントと、無線アクセスポイントに無線通信を介して接続する複数の装置を含むネットワークシステムに、自身の近傍に位置する装置を検出する、携帯型の追加機器検出装置と、前記追加機器検出装置が検出した装置であって、前記ネットワークシステムに収容されていない装置に、当該装置が前記ネットワークシステムに参入するための初期設定情報を、前記無線アクセスポイントを介した無線通信によって設定する、前記無線アクセスポイントに接続した追加機器初期設定装置とを備えたものである。
【００１０】
ここで、前記追加機器検出装置の検出は、たとえば、受信した無線信号の電界強度に応じて、当該無線信号の発信元の装置が自身の近傍に位置するかどうかを判定することにより行うことができる。
このようなネットワークシステムによれば、ユーザは、ネットワークに追加したい装置を所望の位置に配置し、配置した装置の近傍に追加機器検出装置を近づけるだけで、その装置に、当該装置をネットワークシステムに組み込むための初期設定情報が自動的に設定される。したがって、ユーザの新たな装置の追加作業が容易化される。一方で、追加機器検出装置の近傍にない装置には、初期設定情報が設定されないので、ユーザの意図せざる装置がネットワークシステムに組み込まれてしまうこともない。
【００１１】
なお、以上の各ネットワークシステムにおいて、前記無線アクセスポイントに、所定の認証処理によって認証した装置のみに、前記ネットワークシステムへの参入を許諾する認証手段を備えて構成する場合には、前記追加機器検出装置が検出した装置であって、前記ネットワークシステムに収容されていない装置に設定される初期設定情報は、前記無線アクセスポイントの前記認証処理の認証を受けるための認証情報を含めた情報とするようにするのが好ましい。
【００１２】
また、以上のネットワークシステムは、車載ＡＶシステムを形成するために用いることができ、この場合には前記装置を、オーディオとビジュアルとの少なくとも一方を取り扱う車載のＡＶ機器とすることにより、前記ネットワークシステムに参入した複数の前記ＡＶ機器によって車載ＡＶシステムを形成するようにすることができる。
【発明の効果】
【００１３】
以上のように本発明によれば、無線ネットワークを介して複数の装置が接続されたネットワークシステムへの、ユーザの新たな装置の追加作業を容易化することができる。
【発明を実施するための最良の形態】
【００１４】
以下、本発明の実施形態について車載のＡＶシステムへの適用を例にとり説明する。
図１ａに、本実施形態に係るＡＶシステムの構成を示す。
図示するように、ＡＶシステムは、無線アクセスポイント１と、無線アクセスポイント１が提供する無線ＬＡＮに無線通信を介して接続するシステムコントローラ２と追加機器検出装置３と複数のＡＶ機器４とを備える。ここで、無線アクセスポイント１は、無線伝送路を伝送路として用いたネットワークを提供する装置であり、ＡＶ機器４、システムコントローラ２、追加機器検出装置３などの無線ネットワークに収容した各装置間のデータの中継を行う。なお、このような無線ＬＡＮに用いることのできるプロトコルとしては、IEEE 802.11シリーズや、Bluetooth（登録商標）などが知られている。
【００１５】
次に、図示するように、システムコントローラ２は、無線アクセスポイント１に接続するための無線インタフェース２１と、認証情報設定部２２と、通信設定情報設定部２３と、機能設定部２４と、システム構成管理部２５とを備えている。また、図示を省略したが、システムコントローラ２は表示装置や入力装置などのユーザとの間の入出力を行うための装置を備えている。
【００１６】
また、図示するように追加機器検出装置３は、無線アクセスポイントに接続するための無線アクセスインタフェース３１と、無線信号解析部３２と、電界強度検出部３３と、キャプチャ部３４とを備えている。
また、ＡＶ機器４は、たとえば、図１ｂに示すように車内に配置された、音声出力のためのスピーカ４０１を備えたオーディオアンプ４０２や、複数のＣＤ−ＤＡを収容し収容したＣＤ−ＤＡを選択的に再生するＣＤチェンジャ４０３や、ユーザインタフェースの提供や各ＡＶ機器４の制御を行うヘッドユニット４０４などの装置である。
【００１７】
また、図１ｂに示すように車内には、イニシャライズスペースと呼ぶＡＶ機器４を一時的に載置するステージ５が固定的に設けられており、このステージ５の近傍に追加機器検出装置３は配置される。
さて、このようなＡＶシステムにおいて、ユーザはＡＶ機器４をＡＶシステムへ追加する場合には、以下の作業を行う。
すなわち、まず、追加するＡＶ機器４をステージ５に載置する。すると、ＡＶシステムは、ステージ５に新しいＡＶ機器４が載置されたことを検知し、検知したＡＶ機器４をＡＶシステムに組み込むかどうかを問い合わせる。そして、この問い合わせに対して、ＡＶ機器４を組み込むことをユーザが指示すると、ＡＶシステムによって、追加するＡＶ機器４に、無線アクセスポイント１が無線ＬＡＮに収容する装置を識別するために行う認証用の認証情報や、追加するＡＶ機器４が無線ＬＡＮ上の各装置と通信を行うための通信設定情報や、追加するＡＶ機器４のＡＶシステムに適合した機能の設定情報などの、ＡＶ機器４をＡＶシステムに組み込むための各種初期設定情報が自動的に設定される。そして、設定が終了すると、ＡＶシステムによって、ＡＶ機器４の組込の完了が表示される。ユーザは、このようにしてＡＶ機器４のＡＶシステムへの組込が完了したならば、追加したＡＶ機器４を車内の所望の場所に移動設置する。以降、この追加されたＡＶ機器４は、設定された初期設定情報に従って、他のＡＶ機器４と同様に無線ＬＡＮを介して他のＡＶ機器４やシステムコントローラ２と通信を行いながら、設定された初期設定情報に従った機能設定によって自身のＡＶ処理機能をＡＶシステムに提供する。
【００１８】
一方、ＡＶシステムに組み込まれていないＡＶ機器４は、ステージ５に載置されない限り、以上の初期設定情報の設定は行われない。したがって、このようなＡＶ機器４は無線ＬＡＮに収容されることもなく、ＡＶシステムに組み込まれることもない。
以下、このようなＡＶ機器４のＡＶシステムへの初期設定情報の自動設定による新たなＡＶ機器４のＡＶシステムへの追加動作について説明する。
図２にシステムコントローラ２の認証情報設定部２２が行う機器追加処理の手順を、図３に新たなＡＶ機器４のＡＶシステムへの追加動作のシーケンス例を示す。
図３に示すように追加機器検出装置３は、常時車内の無線信号をキャプチャ部３４でキャプチャし、キャプチャした無線信号の電界強度を電界強度検出部３３で検出し、所定の電界強度以上の無線信号を受信したならば、当該無線信号の発信元の装置はステージ５に載置されたＡＶ機器４と判定し、当該無線信号の内容を無線信号解析部３２で解析して当該ＡＶ機器４の識別子を取得し保存する（３５０）。ここで、ＡＶ機器４の識別子としては、IEEE 802.11に従って無線ＬＡＮを構成する場合には、ＡＶ機器４が無線信号として送信するＭＡＣフレームにＳＡアドレスとして含まれるＡＶ機器４のＭＡＣアドレスを用いることができる。なお、無線ＬＡＮに収容されていないＡＶ機器４からは、無線アクセスポイント１を能動的に探索するためのプローブフレームや、ＡＶ機器４において発見した無線アクセスポイント１の認証を受けるための認証フレームであるＭＡＣフレームが送信されることになる。
【００１９】
次に、無線アクセスポイント１は、ＡＶ機器４から認証要求を受けるとＡＶ機器４との間で認証処理を行う（３０２）が、認証要求の発行元のＡＶ機器４がＡＶシステムに新たに追加されるＡＶ機器４である場合、ＡＶ機器４に認証情報が設定されていないため、この認証は失敗となる。
【００２０】
認証が失敗した場合、無線アクセスポイント１は、認証が失敗したＡＶ機器４の識別子（たとえば、IEEE 802.11に従った認証要求フレームにＳＡアドレスとして含まれるＡＶ機器４のＭＡＣアドレス）を含めた認証失敗機器通知を無線ＬＡＮを介してシステムコントローラ２の認証情報設定部２２に発行する（３１０）。
【００２１】
システムコントローラ２の認証情報設定部２２は、認証失敗機器通知を受信すると、機器追加処理においてこれを検知し（図２ステップ２０２）、追加機器検出装置３に、無線ＬＡＮを介して追加機器問い合わせを発行する（３１２、図２ステップ２０４）。追加機器問い合わせを受信した追加機器検出装置３は、現在もしくは所定期間内の最近に検出した、ステージ５に載置されたＡＶ機器４の識別子を、無線ＬＡＮを介して機器追加通知としてシステムコントローラ２の認証情報設定部２２に応答する（３１４）。
【００２２】
システムコントローラ２の認証情報設定部２２は、認証失敗機器通知で通知されたＡＶ機器４の識別子と、機器追加通知で通知されたＡＶ機器４の識別子との一致判定を行い（図２ステップ２０６）、両者が一致していれば、備えた表示装置（図示を省略）を用いてユーザに対して追加要否問い合わせを表示し（３６２、図２ステップ２０８）、一致していなければ図２ステップ２０２に戻る。
【００２３】
そして、ユーザから、入力装置（図示を省略）を介して、追加要否問い合わせに対する応答としてＡＶ機器４の追加を指示する所定の操作があったならば（図２ステップ２１０）、認証失敗機器通知で示されたＡＶ機器４を追加機器とし（図２ステップ２１２）、そうでなければステップ２０２に戻る。
【００２４】
そして、ＡＶ機器４の追加指示操作があった場合には、無線ＬＡＮを介して無線アクセスポイント１に、追加機器が無線アクセスポイント１での認証を受けるために追加機器に設定する各種認証情報と、追加機器を無線アクセスポイント１で認証するために無線アクセスポイント１に設定する設定情報とを含めた認証情報設定要求を発行する（３１６、図２ステップ２１４）。そして、ＡＶ機器４の追加完了を表示装置を介してユーザに対して表示し（３６４、図２ステップ２１６）、図２ステップ２０２に戻る。なお、ＡＶ機器４に設定する認証情報は、認証情報設定部２２に予め設定されている。
【００２５】
認証情報設定要求を受け取った無線アクセスポイント１は、設定情報を自身に設定する。
ここで、このような設定情報の設定の例としては、無線アクセスポイント１において、アドレスフィルタリング、すなわち、特定のアドレス（たとえば、ＭＡＣアドレス）を備えたＡＶ機器４のみの無線ＬＡＮへの収容の許諾する処理を行う場合における、システムコントローラ２からの、追加機器のアドレスの無線アクセスポイント１への通知と、無線アクセスポイント１における通知アドレスの無線ＬＡＮに収容を許諾する装置のアドレスとしての設定などがある。
【００２６】
また、認証情報設定要求を受け取った無線アクセスポイント１は、追加機器に対して無線通信を介して、認証情報設定要求で受け取った認証情報を追加機器に送信する（３０４）。そして、追加機器であるＡＶ機器４は、受信した認証情報を自身に設定する。
ここで、このような認証情報の設定の例としては、無線アクセスポイント１において、認証情報としてネットワーク固有の識別子（たとえば、IEEE 802.11におけるESS-IDやSSID）や、共通鍵暗号法による暗号（たとえば、IEEE 802.11におけるＷＥＰ）によるＡＶ機器４の無線ＬＡＮへの収容の是非の認証を行う場合における、システムコントローラ２の無線アクセスポイント１を介した、追加機器へのネットワーク固有の識別子や共通鍵の通知と、追加機器であるＡＶ機器４におけるネットワーク固有の識別子や共通鍵の自身への認証情報としての設定などがある。
【００２７】
さて、このようにして、認証情報が設定された追加機器であるＡＶ機器４は、その後、設定された認証情報を用いて無線アクセスポイント１との間の認証処理（３０６）よる認証を受けて無線ＬＡＮに収容される。無線ＬＡＮに収容されたＡＶ機器４は、次に、システムコントローラ２の通信設定情報設定部２３にアクセスし、システムコントローラ２や他のＡＶ機器４と通信を行うための、ネットワーク層の通信設定情報の通知を受け、自身に設定する（３２０）。この通信設定情報の設定は、たとえば次のように行う。すなわち、無線ＬＡＮがＴＣＰ／ＩＰ網を構成している場合には、通信設定情報設定部２３をＩＰアドレスの動的割り当てを行うＤＨＣＰサーバとして構成しておく。そして、通信設定情報の設定を受けるＡＶ機器４が、システムコントローラ２上で稼働しているＤＨＣＰサーバにアクセスしてＩＰアドレスの動的な割り当てを受けて、自身に設定するようにする。
【００２８】
次に、ＡＶ機器４は、システムコントローラ２の機能設定部２４にアクセスして、ＡＶシステムの構成に応じた機能設定を受ける（３１２）。ここで、この機能設定では、たとえば、システムコントローラ２の機能設定部２４が、追加機器であるＡＶ機器４から、そのＡＶ機器４の装置種別の通知を受ける。そして、機能設定部２４は、システム構成管理部２５で管理している既にＡＶシステムに組み込まれている他の各ＡＶ装置の種別とを考慮して、追加機器のオーディオデータの出力先の他のＡＶ機器４を決定し、決定したＡＶ機器４のIPアドレス等の識別を追加機器であるＡＶ機器４に通知する。また、システム構成管理部２５に、追加機器の装置種別をＡＶシステムに組み込まれているＡＶ機器４として登録する。そして、通知を受けた追加機器であるＡＶ機器４では、自身からのオーディオデータの出力先として、識別を通知されたＡＶ機器４を設定する。また、この他、この機能設定では、追加機器であるＡＶ機器４の周波数特性その他の音響特性などの設定を行うようにしてよい。
【００２９】
以上、ＡＶ機器４のＡＶシステムへの追加動作について説明した。
以上のように、本実施形態によれば、ユーザは、ＡＶシステムに追加したいＡＶ機器４をステージ５に載置するだけで、そのＡＶ機器４をＡＶシステムに組み込むための各種設定が、当該ＡＶ機器４や無線アクセスポイント１などに自動的に設定される。したがって、ユーザの新たなＡＶ機器４の追加作業が容易化される。一方で、ステージ５から外れた位置にある装置については、このような設定がなされないので、ユーザの意図せざる装置がＡＶシステムに組み込まれてしまうこともない。
【００３０】
ところで、以上の実施形態におけるＡＶシステムに用いる無線ＬＡＮを用いたネットワーク構成は一例であり、ＡＶシステムに用いるネットワークの構成はＡＶ機器４を無線アクセスポイント１を介してネットワークに収容することを除き任意であってよい。
たとえば、システムコントローラ２と追加機器検出装置３と無線アクセスポイント１は有線ＬＡＮを介して接続するようにしてもかまわない。なお、この場合に前記無線ＬＡＮ（IEEE 802.11ではＢＳＡ）と有線ＬＡＮ（IEEE 802.11ではＤＳ）は、単一のＬＡＮ（IEEE 802.11ではＥＳＳ）として結合され、前記認証情報として用いるネットワーク固有の識別子は、このＬＡＮの識別子となる。
【００３１】
また、以上の実施形態では、追加機器検出装置３において独自に無線信号のキャプチャを行ったが、これは図４ａに示すように、追加機器検出装置３を無線アクセスポイント１に付属させ、無線アクセスポイント１が受信した無線信号を追加機器検出装置３においてキャプチャするようにしてもよい。なお、図４ａは、システムコントローラ２と追加機器検出装置３と無線アクセスポイント１は有線ＬＡＮ６を介して接続すると共に無線アクセスポイント１を有線ＬＡＮ６上に複数設置した場合を示している。
【００３２】
また、図４ｂに示すように、各ＡＶ機器４を無線通信を用いる中継装置である無線リピータ７を介して無線アクセスポイント１に接続するようなネットワーク構成をとるようにすることもできる。また、この場合には、図示するように、追加機器検出装置３を無線リピータ７に付属させ、無線リピータ７が受信した無線信号を追加機器検出装置３においてキャプチャするようにしてもよい。なお、このような構成において無線リピータ７に代えて無線アクセスポイント１と有線接続した無線アクセスポイント１のアンテナを配置するような構成も可能である。
【００３３】
また、以上の実施形態では、追加機器検出装置３において、ＡＶ機器４が送信する無線信号の電界強度の強弱に応じて、ＡＶ機器４がステージ５上に載置されているかどうかを判定するようにしたが、これは図４ｃに示すように、３以上の複数の無線アクセスポイント１を設け、各無線アクセスポイント１で、それぞれＡＶ機器４から受信した無線信号の電界強度を算出して、当該無線信号の発信元のＡＶ機器４の識別と共にシステムコントローラ２に通知し、システムコントローラ２において各無線アクセスポイント１が同じＡＶ機器４が発進した無線信号について算出した電界強度と、各無線アクセスポイント１の配置とより、三角測量の原理に従って当該ＡＶ機器４の位置を算定し、算定した位置に基づいて、当該ＡＶ機器４がステージ５上に配置されているかどうかを判定するようにしてもよい。
【００３４】
また、以上の実施形態では、追加機器検出装置３をステージ５の近傍に固定的に設置したが、これはステージ５を廃すると共に、追加機器検出装置３を携帯型の装置として構成し、ユーザが追加機器検出装置３を、ユーザがＡＶシステムに追加したいＡＶ機器４に近づけるようにしてもよい。すなわち、この場合には、ＡＶシステムにおいて追加機器検出装置３が近づけられたＡＶ機器４を検知し、検知したＡＶ機器４をＡＶシステムに組み込むかどうかをユーザに問い合わせる。そして、この問い合わせに対して、ＡＶ機器４を組み込むことがユーザから指示されたならば、ＡＶシステムによって、新しいＡＶ機器４に、新しいＡＶ機器４が無線アクセスポイント１の認証を受けるための認証情報や、新しいＡＶ機器４が無線ＬＡＮ上の各装置と通信を行うための通信設定情報や、ＡＶシステムに適合した新しいＡＶ機器４の機能設定の情報などの、ＡＶ機器４をＡＶシステムに組み込むための各種初期設定情報が自動的に設定するようにする。なお、この場合のＡＶシステムの動作は、図２、図３に示した動作と同様である。
【００３５】
このようにすることにより、ステージ５といった特段のスペースが不要となり、また、ＡＶ機器４をステージ５に置き、その後に本来の設置位置に移動するといった手間が不要となる。
【図面の簡単な説明】
【００３６】
【図１】本発明の実施形態に係るＡＶシステムの構成を示すブロック図である。
【図２】本発明の実施形態に係るシステムコントローラが行う機器追加処理の手順を示すフローチャートである。
【図３】本発明の実施形態に係るＡＶシステムの機器追加動作例を示すシーケンス図である。
【図４】本発明の実施形態に係るＡＶシステムの他の構成例を示すブロック図である。
【符号の説明】
【００３７】
１…無線アクセスポイント、２…システムコントローラ、３…追加機器検出装置、４…ＡＶ機器、５…ステージ、６…有線ＬＡＮ、７…無線リピータ、２２…認証情報設定部、２３…通信設定情報設定部、２４…機能設定部、２５…システム構成管理部、３２…無線信号解析部、３３…電界強度検出部、３４…キャプチャ部、４０１…スピーカ。
【図１】
2005191789.tif 000003
【図２】
2005191789.tif 000004
【図３】
2005191789.tif 000005
【図４】
2005191789.tif 000006